(57)【要約】【課題】光学要素支持部材の強度を低下させることなく、撮像鏡筒を短縮させる。【解決手段】撮影光学系を構成する複数の光学要素を有するレンズ鏡筒であって、光学要素を支持する第一の支持部材が光軸方向に進退し、前記第一の支持部材の少なくとも一部が、光軸方向で隣接する、光学要素を保持する第二の支持部材に光軸と直交方向で重畳する構成において、前記第二の支持部材は、光軸と直交する方向に延びた腕部と、前記腕部に形成されたカムピンと、前記腕部に形成されたリブ形状と、を備え、前記第二の支持部材の腕部が、前記第一の支持部材に設けられた切り欠き部に、光軸方向で進退することを特徴とする。【選択図】図９（ａ）
2014142375.tif 000002
【特許請求の範囲】
【請求項１】
撮影光学系を構成する複数の光学要素を有するレンズ鏡筒であって、
光学要素を支持する第一の支持部材（１２）が光軸方向に進退し、前記第一の支持部材（１２）の少なくとも一部が、光軸方向で隣接する、光学要素を保持する第二の支持部材（２２）に光軸と直交方向で重畳する構成において、
前記第二の支持部材（２２）は、
光軸と直交する方向に延びた腕部（２２ｅ）と、
前記腕部に形成されたカムピン（２２ａ）と、
前記腕部に形成されたリブ形状（２２ｆ）と、を備え、
前記第二の支持部材（２２）の腕部（２２ｅ）が、前記第一の支持部材（１２）に設けられた切り欠き部（１２ｇ）に、光軸方向で進退することを特徴とするレンズ鏡筒。
【請求項２】
前記第一の支持部材（１２）の外周に、帯状リブ（１２ｆ）が形成されていることを特徴とする請求項１に記載のレンズ鏡筒。
【請求項３】
前記第一の支持部材（１２）の外周に形成された帯状リブ（１２ｆ）が、前記第二の光学要素（２２）の前記腕部（２２ｅ）に形成されたリブ形状（２２ｆ）より、周方向に大きく切り欠かれていることを特徴とする請求項１又は請求項２に記載のレンズ鏡筒。
【請求項４】
前記第一の支持部材（１２）の帯状リブ（１２ｆ）の切り欠き部（１２ｈ）は、周方向で、前記第二の光学要素（２２）に形成された前記腕部（２２ｅ）のリブ形状（２２ｆ）より大きく、前記腕部（２２ｅ）より小さいことを特徴とする請求項１乃至請求項３の何れか１項に記載のレンズ鏡筒。
【請求項５】
前記第二の光学要素（２２）が光軸方向に進退した際、前記第一の支持部材（１２）に形成された前記腕部（２２ｅ）のリブ形状（２２ｆ）が、前記帯状リブ（１２ｆ）の切り欠き部（１２ｈ）と光軸と直交方向で重畳する構成であることを特徴とする請求項１乃至請求項４の何れか１項に記載のレンズ鏡筒。
【発明の詳細な説明】
【技術分野】
【０００１】
本発明は、レンズ鏡筒、およびこれを用いたデジタルカメラやビデオカメラ等の撮像装置に関するものである。
【背景技術】
【０００２】
従来、複数の筒体を移動、回転させることにより撮影可能なレンズ鏡筒を有する撮像装置において、撮像装置の小型化のため、撮影状態では焦点距離を調整するためにレンズ鏡筒がボディから繰り出され、非撮影状態ではレンズ鏡筒がボディ内部に収納される構成となっている。
【０００３】
特許文献１において、光学素子保持群の光軸と直交する方向に延びた腕部が、該光学素子保持群より光軸方向被写体側に位置する、光学素子保持群の切り欠き部に進入する構成となるものが知られている。
【０００４】
このような構成とすることで、レンズ鏡筒を小型化を図ることが出来る。
【先行技術文献】
【特許文献】
【０００５】
【特許文献１】特開２００８−１７０６５０号公報
【発明の概要】
【発明が解決しようとする課題】
【０００６】
上記の特許文献１では、光学素子保持群の一部を切り欠き、切り欠かれた光学素子保持群よりも光軸方向後方に位置する光学素子保持群の、光軸と直交する方向を規制するための腕部が、該切り欠き部に進入することで、鏡筒の小型化を図っている。
【０００７】
しかし、鏡筒の小型化を図るためには、該切り欠き部に進入させた腕部を外周方に向大きくすることが出来ず、該腕部の強度が低くなってしまい、破損してしまうという懸念があった。
【課題を解決するための手段】
【０００８】
本発明に係るレンズ鏡筒の構成は、撮影光学系を構成する複数の光学要素を有するレンズ鏡筒であって、光学要素を支持する第一の支持部材が光軸方向に進退し、前記第一の支持部材の少なくとも一部が、光軸方向で隣接する、光学要素を保持する第二の支持部材に光軸と直交方向で重畳する構成において、前記第二の支持部材は、光軸と直交する方向に延びた腕部と、前記腕部に形成されたカムピンと、前記腕部に形成されたリブ形状と、を備え、前記第二の支持部材の腕部が、前記第一の支持部材に設けられた切り欠き部に、光軸方向で進退することを特徴とする。
【発明の効果】
【０００９】
本発明によれば、光学要素の支持部材の強度を低下させることなく、レンズ鏡筒の小型化を図ることが出来る。
【図面の簡単な説明】
【００１０】
【図１】本発明の実施形態に係るレンズ鏡筒の外観斜視図
【図２（ａ）】本発明の実施形態に係るレンズ鏡筒の断面図（収納状態）
【図２（ｂ）】本発明の実施形態に係るレンズ鏡筒の断面図（撮影状態）
【図３】本発明の実施形態に係るレンズ鏡筒の分解斜視図
【図４（ａ）】１群保持枠の１群鏡筒に対する組位相の上面図
【図４（ｂ）】１群保持枠の１群鏡筒に対する保持位置の上面図
【図５】退避群周辺メカ構成分解斜視図
【図６（ａ）】１群鏡筒とカム筒の断面図（撮影位置）
【図６（ｂ）】１群鏡筒とカム筒の拡大断面図（撮影位置）
【図７（ａ）】１群鏡筒と２群地板の斜視図（撮影位置）
【図７（ｂ）】１群鏡筒と２群地板の拡大斜視図（撮影位置）
【図８】１群鏡筒と２群地板の拡大断面図（撮影位置）
【図９（ａ）】１群鏡筒と２群地板の上面図（撮影位置）
【図９（ｂ）】１群鏡筒と２群地板の拡大上面図（撮影位置）
【図１０（ａ）】退避群の光軸方向規制部付近の断面図（撮影位置）
【図１０（ｂ）】退避群の光軸方向規制部付近の断面の簡略図（撮影位置）
【図１１（ａ）】退避群の斜視図（非撮影状態）
【図１１（ｂ）】退避群の斜視図（撮影状態）
【図１２（ａ）】撮影状態における１群保持枠と２群保持枠の断面図
【図１２（ｂ）】レンズ保持部が接着の時の、撮影状態における１群保持枠と２群保持枠の断面図
【図１３（ａ）】図８（ａ）のＦでの断面図（非撮影状態）
【図１３（ｂ）】図８（ａ）のＦでの断面図（撮影状態）
【図１４】（ａ）退避駆動動作図（撮影位置）、（ｂ）退避駆動動作図（退避群駆動中）、（ｃ）退避駆動動作図（非撮影位置）
【図１５】２群保持枠側面図
【発明を実施するための形態】
【００１１】
以下、本発明を図面に基づいて詳しく説明する。
【実施例１】
【００１２】
以下、本発明を実施するためにふさわし形態を、添付図に基づいて詳細に説明する。
【００１３】
先ず、図１〜図５を参照して、本発明の実施例におけるレンズ鏡筒の構成について説明する。
【００１４】
本発明の実施例におけるレンズ鏡筒は１群レンズＬ１、２群レンズＬ２、３群レンズＬ３ａ、Ｌ３ｂ、４群レンズＬ４ａ、Ｌ４ｂ、Ｌ４ｃ、５群レンズＬ５、６群レンズＬ６から構成される６群レンズ光学系である。また、Ｌ３ａは光軸Ａを該光軸Ａと略９０°を成す光軸Ｂへ導くプリズムである。
【００１５】
１１は１群レンズＬ１を保持する１群保持枠であり、１群保持枠１１は１群鏡筒１２に固定されている。
【００１６】
その際、図４（ａ）に示すように、１群保持枠１１の光軸と直交する回転方向の位置は、１群保持枠１１に形成された位置決め形状１１ｂの回転規制面１１ｃと、１群鏡筒１２に形成されている回転規制面１２ｃで決まっている。
【００１７】
加えて、１群保持枠１１は、位置決め形状１１ｂの反転規制面１１ｄと、それに近接して配置された、１群鏡筒１２の反転規制形状１２ｅの反転規制面１２ｄによって、回転規制された位置から光軸と直交方向に反転しないよう、反転規制されている。
【００１８】
また、１群保持枠１１は、位置決め形状１１ｂと１群鏡筒１２の光軸方向規制部１２ｅが近接して配置されていることで、光軸方向の位置が規制されている。
【００１９】
１群鏡筒１２の外周面下方に配置された１組３個のカムピン１２ａは、カム筒８の内周面に形成されたカム溝８ａに係合している。
【００２０】
また、もう１組３個のカムピン１２ｂは、カム筒８の内周面に形成されたカム溝８ｂに若干の隙間を有し挿嵌している。
【００２１】
また、１群鏡筒１２には内周面３箇所に直進キー１２ｃ（不図示）が形成されており、直進筒７の外周面に形成された直進溝７ａに係合している。
【００２２】
２１は２群レンズＬ２を保持する２群保持枠であり、２群保持枠２１は２群地板２２に保持されている。その際、図１０（ａ）に示すように２群保持枠２１は、スリーブ２１ａが２群地板２２の開口部２２ｂに挿入され、２群支持軸２４により軸支されることで、２群地板２２に回動可能に支持されている。
【００２３】
この時、２群圧縮バネ２３が２群保持枠２１のスリーブ２１ａに取り付いており、そのコイル部２３ｃが、２群地板２２の開口部２２ｂを、図１０（ａ）に示す矢印Ｃ方向（光軸方向、ここで指す光軸方向は光軸Ａ方向であり、以下光軸方向と呼ぶ）に付勢している。
【００２４】
この付勢により、２群保持枠２１と２群地板２２との光軸方向のガタが吸収される（第一の光軸方向規制部）。
【００２５】
また、図５に示す圧縮バネ２３の２本の腕部２３ａ、２３ｂは、２群保持枠２１の不図示のフックと２群地板２２の不図示の穴部に掛けられている。この時、２群保持部２１は、２群圧縮バネ２３のトーションバネの機能により、図１１（ａ）の矢印Ｄに示す、光軸と直交する回転方向の力が加わることで、図１１（ｂ）のような撮影位置に付勢される。
【００２６】
この時、２群保持枠２１には、２群保持枠回転規制面２１ｃが形成されており、図１１（ｂ）に示すように２群保持枠２１が光軸Ａ上である撮影位置に進入した際、２群保持枠回転規制面２１ｃは、２群地板２２の２群地板回転規制面２２ｃと当接される。
この付勢により、２群保持枠２１の撮影位置が保証される。
【００２７】
また、２群保持枠２１のスリーブ２１ａの近傍には２群退避駆動部２１ｂが形成されており、非撮影時、固定地板１０の固定側退避駆動部１０ａ（図１４参照）に当接することで２群保持部２１は、図１１（ｂ）の矢印Ｅ方向へ回転移動する。
【００２８】
以上のように、２群保持枠２１に保持されたレンズＬ２のレンズ中心は、撮影状態においては光軸Ａ上に位置し、非撮影状態においては光軸Ａから離れた、退避位置で保持されている。
【００２９】
また、２群地板２２の外周に形成された３個のカムピン２２ａが、カム筒８の内周面に形成されたカム溝８ｃと係合している。
【００３０】
このカムピン２２ａは、板バネ構成となっているため、カム筒８のカム溝８ｃとのガタを吸収している。
【００３１】
さらに、２群地板２２にはカムピン２２ａと同箇所に直進キー２２ｅが形成されており、直進筒７に形成された直進溝７ｂに係合している。
【００３２】
カム筒８の内周面下方に形成された溝部８ｄ（不図示）は直進筒７の外周面下方に形成された複数の突部７ｃに係合している。カム筒８は直進筒７に回転可能に支持され、直進筒７と一体で移動する。また、カム筒８の外周面下方に配置された３個のカムピン８ｅは固定筒９の内周面に形成されたカム溝９ａに係合している。
【００３３】
直進筒７は１群鏡筒１２、２群地板２２を回転不能に支持する。また、直進筒７の外周面下端に形成された４個の直進キー７ｄは固定筒９の内周面に形成された直進溝９ｂに係合している。
【００３４】
カム筒８の外周面下方に形成されたギア部８ｆ（不図示）はＤＣモーター１４と複数のギア部品１５により構成されたカム筒駆動装置に連結される。
【００３５】
鏡筒駆動装置の出力によりカム筒８が回転させられると、カム筒８は、カム筒８のカムピン８ｅと固定筒９のカム溝９ａとの作用により、回転しながら光軸方向に進退する。
【００３６】
１群鏡筒１２は、１群鏡筒１２のカムピン１２ａとカム筒８のカム溝８ａとの作用、１群鏡筒１２の直進キー１２ｃと直進筒７の直進溝７ａとの作用により、回転することなく光軸方向に進退する。
【００３７】
２群地板２２は、カムピン２２ａとカム筒８のカム溝８ｃとの作用、２群地板２２の直進キー２２ｅと直進筒７の直進溝７ｂとの作用により、回転することなく光軸方向に移動する。
【００３８】
３１はプリズムＬ３ａ、３群レンズＬ３ｂを保持する３群保持枠であり、３群保持枠３１に形成された軸穴部３１ａ（不図示）が、３群係合軸３３を介して、３群地板３２に形成された軸穴部３２ａ（不図示）と同軸上に保持されている。
この時、図２に示すように３群保持枠３１は、３群地板３２に対し３群係合軸３３を中心として略４５度回転可能に保持されている。
【００３９】
撮影時、３群保持枠３１は、保持している３群プリズムＬ３ａが光軸Ａと光軸Ｂが９０°を成す位置（撮影位置）に配置されるよう、不図示のトーションバネ３４により付勢されている。
【００４０】
鏡筒沈胴時は、３群保持枠３１が直進筒７により回転させられることで、撮影時に対して、略４５度傾いた状態で鏡筒内部に収納される構成となっている。
【００４１】
また、３群保持枠が、撮影時に対して、３群係合軸３３を中心として略４５度傾いたことにより、退避群である２群が退避して出来たスペースに入り込むことが可能となり、鏡筒を小型化している。
【００４２】
４群ユニット４は既知のシャッターＩＳユニットであり、レンズＬ４ａ、Ｌ４ｂ、Ｌ４ｃを保持している。４群ユニット４は、不図示の光軸Ｂに平行な支持軸１３ａ、１３ｂに係合することによって、光軸Ｂ方向に移動可能に支持されている。
【００４３】
５は５群レンズＬ５を保持する５群保持枠であり、不図示の光軸Ｂに平行な支持軸１３ａ、１３ｂに係合することによって、光軸Ｂ方向に移動可能に支持されている。
【００４４】
６は６群レンズＬ６を保持する６群保持枠であり、不図示の光軸Ｂに平行な支持軸１３ａ、１３ｂに係合することによって、光軸Ｂ方向に移動可能に支持されている。
【００４５】
撮像素子Ｓと光学フィルタＦは固定地板１０に保持されている。また、固定筒９とカバー１６は不図示のビスにより固定地板１０に固定されている。
【００４６】
本発明の実施例におけるレンズ鏡筒では、沈胴時は、先ず６群が結像面側に移動して、次に４群が５群保持枠５を押出しながら移動する。そして、カム筒８の回転により、１群鏡筒１２、２群地板２２、直進筒７、カム筒８が繰り込まれる。直進筒７の繰り込みにともなって、３群が回転を始め、４５度傾いた状態で収納される。
【００４７】
撮影時は逆に、１群鏡筒１２、２群保持枠２１、直進筒７、カム筒８が被写体側に繰り出すのに伴い、３群が起き上がり、４群、５群、６群が所定位置に移動する。
【００４８】
次に、１群鏡筒１２とカム筒８と２群地板２２の位置関係について、図６（ａ）〜９（ｂ）を用いて詳細に説明する。
【００４９】
１群鏡筒１２の外周には、帯状リブ１２ｆが形成されている。
【００５０】
また、図６（ａ）に示すように、カム筒８の被写体側には、カム蓋８１が取り付いている。
【００５１】
この時、カム蓋８１の開口部８１ａを、１群鏡筒１２の帯状リブ１２ｆの外径より小さくすることで、カム蓋と８１と１群鏡筒１２の帯状リブ１２ｆが光軸方向で円周上に重畳し、光線やごみの侵入を防ぐことが出来る。
【００５２】
また、１群鏡筒１２には３か所の切り欠き部１２ｇが設けられており、図７（ａ）、図８に示すように、１群鏡筒１２と２群地板２２が光軸方向に近接する際、１群鏡筒１２の切り欠き部１２ｇへ２群地板２２の直進キー２２ｅが光軸方向に進入する。
【００５３】
また、２群地板２２の直進キー２２ｅには、カムピン２２ａに対向する位置に、リブ形状２２ｆが設けられている。
【００５４】
この時、図９（ｂ）、図７（ｂ）に示すように、１群鏡筒１２の帯状リブ１２ｆと、２群地板２２の直進キー２２ｅに設けられたリブ形状２２ｆが光軸方向で重畳する範囲において、帯状リブ１２ｆを切り欠いている（この切り欠き部を１２ｈとする）。
【００５５】
この切り欠き１２ｈによって、１群鏡筒１２と２群地板２２が光軸方向に近接する際の、帯状リブ１２ｆと、２群地板２２の直進キー２２ｅに設けられたリブ形状２２ｆとの干渉を回避している。
【００５６】
この時、１群鏡筒１２の帯状リブ１２ｆの切り欠き１２ｈの範囲のみ、カム蓋８１が１群鏡筒１２と光軸方向で重畳しない構成となってしまう。
【００５７】
しかし、この時１群鏡筒１２の帯状リブ１２ｆの切り欠き１２ｈの範囲は、２群地板２２の直進キー２２ｅのリブ形状２２ｆより円周方向で大きく、２群地板２２の直進キー２２ｅより円周方向で小さい構成となっている。
【００５８】
このような構成とすることで、図８、９（ｂ）に示すように、２群地板２２の直進キー２２ｅのリブ形状２２ｆを避けつつ、切り欠き範囲から入る光を２群地板２２の直進キー２２ｅで遮光することが出来る。
【００５９】
また、２群地板２２の直進キー２２ｅにリブ形状２２ｆを設けることで、直進キー２２ｅの強度を上げることが出来る。
【００６０】
次に、退避群である２群ユニット２の動作機構について、図１０（ａ）〜図１５を用いて詳細に述べる。
【００６１】
まず、撮影状態から非撮影状態へ駆動する時の退避群について述べる。
【００６２】
２群ユニット２は撮影状態から非撮影状態へと駆動する時、カム筒８に追従して光軸方向に繰り込んでいく。
【００６３】
その際、２群保持枠２１の２群退避駆動部２１ｂの斜面２１ｇが固定地板１０の固定側退避駆動部１０ａの斜面１０ｂに押圧される。この押圧により２群保持枠２１は、２群支持軸２４を中心として、２群圧縮バネ２３のトーション側のバネをチャージしながら、図１１（ｂ）の矢印Ｅ方向に回転退避していく。２群保持枠２１に保持された２群レンズＬ２は、回転退避により光軸Ａから外れる。
【００６４】
また、回転退避時、図１２（ａ）に示すように、２群保持枠２１のカシメ爪部２１ｄは、１群保持枠１１のカシメ爪部１１ａと光軸と直交方向で重畳している。その際、図１３（ａ）、図１３（ｂ）に示すように、１群保持枠１１のカシメ爪部１１ａを切り欠き、その切り欠かれた範囲を２群保持枠２１のカシメ爪部２１ｄが通過することで、カシメ爪同士の干渉を避けることが出来る。
【００６５】
また、２群保持枠２１は、２群退避駆動部２１ｂに形成された回転規制面２１ｆと、固定側退避駆動部１０ａに形成された回転規制面１０ｃが、当接することによって回転規制されている。
【００６６】
また、回転退避時、固定側退避駆動部１０ａの斜面１０ｂと２群退避駆動部２１ｂの斜面２１ｇが当接する際、２群支持軸２４と２群地板２２の開口部２２ｂとの嵌合ガタにより、２群保持枠２１に倒れが発生する。この時、２群保持枠２１が２群圧縮バネ２３により光軸方向に付勢されていることで、光軸方向のガタを吸収している（第一の光軸方向規制部）。
【００６７】
次に非撮影状態から撮影状態へ駆動する時の２群ユニット２について述べる。
【００６８】
２群ユニット２は、非撮影状態から撮影状態へと駆動する時、カム筒８に追従して光軸方向に繰り出される。
【００６９】
２群ユニット２が繰り出されると、当接していた２群退避駆動部２１ｂの回転規制面２１ｆと固定側退避駆動部１０ａの回転規制面１０ｃの接触が外れ、回転規制が解除される。
【００７０】
その際、２群保持枠２１には，２群圧縮バネ２３のトーションバネ部がチャージされていた事による、２群支持軸２４を中心とした、図１１（ａ）の矢印Ｄ方向の、２群レンズＬ２の中心が光軸中心方向に回転移動するバネ力が掛かっている。このバネ力による２群保持枠の回転は、２群保持枠２１の回転規制面２１ｃと２群地板２２の回転規制面２２ｃが当接することで位置が決まる。
【００７１】
また、２群保持枠２１が光軸中心側へ進入する際も、２群保持枠２１のカシメ爪部２１ｄは、１群保持枠１１のカシメ爪部１１ａと光軸と直交方向で重畳している。この時も、回転繰り込み時同様、カシメ爪部１１ａの切り欠かれた範囲を２群保持枠２１のカシメ爪部２１ｄが通過することで、カシメ爪同士の干渉を避けることが出来る。
【００７２】
また、２群保持枠２１には、第一の光軸方向規制部の光軸を挟んで略対向した位置にカム溝形状２１ｅが設けられており、２群地板２２には、カム溝形状２１ｅに対向する位置にカムピン形状２２ｄが設けられている。
【００７３】
非撮影状態から撮影状態へ２群保持枠２１が回転移動する際、繰り出し途中でカム溝形状２１ｅとカムピン形状２２ｄが嵌合する。カム溝形状２１ｅとカムピン形状２２ｄが嵌合した位置から、撮影状態位置を含む、それ以降の繰り出し位置において、該嵌合部により、２群保持枠２１の２群地板２２に対する位置が決まる（第二の光軸方向規制部）。
【００７４】
その際、２群保持枠２１のカム溝形状２１ｅは入口が広がっており、繰り出し中、２群保持枠２１が光軸方向に対し倒れていても、２群地板２２のカムピン形状２２ｄに誘い込まれて嵌まる構成となっている。
【００７５】
また、図１０（ａ）、図１０（ｂ）で示すように、２群地板２２のカムピン形状２２ｄは、板バネ構造となっている。そのため、カムピン形状２２ｄは、カム溝形状２１ｅとの嵌合により板バネが付勢されることで、光軸と直交した方向の位置規制も行っている。
【００７６】
この時、カムピン形状とカム溝形状は、上述した構成に限定するものではなく、２群保持枠２１にカムピン形状を設け、２群地板２２にカム溝形状を設けた構成とすることも可能である。
【００７７】
以上のように、２群保持枠２１が２群地板２２に対して、光軸と直交する方向への回転駆動する時、カシメ爪部１１ａが切り欠かれていることで、カシメ爪部１１ａと２１ｄの干渉を避けている。
【００７８】
この時、１群保持枠１１は、回転規制面１１ｃと反転規制面１１ｄが、１群鏡筒１２に設けられた回転規制面１２ｃ、反転規制面１２ｄに、ぞれぞれ光軸と直交する回転方向を規制されていることで、精度良く１群鏡筒１２に保持されている。
【００７９】
１群保持枠１１が精度良く１群鏡筒１２に保持されていることで、カシメ爪部１１ａを余分に切り欠くことなく、最小限に抑えられるため、カシメ強度を大きく低下させることなく、カシメ爪分、光軸方向の鏡筒長を短縮することが出来る。
【００８０】
また、光学素子保持部（１１ａ、２１ｄ）の光学素子（１Ｌ、２Ｌ）保持方法が、カシメ爪形状でなく、接着による保持であった場合でも、図１２（ｂ）のように、接着材（１１ｆ、２１ｊ）の盛り上がりが光軸と直交方向で重畳することで、干渉が起こる。
しかし、本構成によれば、カシメ爪（１１ａ、２１ｄ）による保持時同様、１群保持枠１１の接着部１１ｆを切り欠き、その切り欠かれた範囲を２群保持枠２１の接着部２１ｊが通過することで保持部の干渉を防ぐことが可能となる。
【００８１】
また、本構成では、１群レンズＬ１、２群レンズＬ２の凸面より、１群保持枠１１のカシメ爪１１ａ、２群保持枠２１のカシメ爪２１ｄの方が凸になっている。そのため、撮影位置において、外力等により１、２群間隔が縮まってしまった際にも、カシメ爪部とレンズが先当たりするため、レンズを傷つけることがない。
【００８２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００８３】
８      カム筒
１２    １群鏡筒（第一の支持部材）
１２ｆ  帯状リブ
１２ｇ、１２ｈ  切り欠き部
２２    ２群地板（第二の支持部材）
２２ａ  カムピン
２２ｅ  直進キー（腕部）
２２ｆ  リブ形状
８１    カム蓋
８１ａ  開口部
【図１】
2014142375.tif 000003
【図２（ａ）】
2014142375.tif 000004
【図２（ｂ）】
2014142375.tif 000005
【図３】
2014142375.tif 000006
【図４（ａ）】
2014142375.tif 000007
【図４（ｂ）】
2014142375.tif 000008
【図５】
2014142375.tif 000009
【図６（ａ）】
2014142375.tif 000010
【図６（ｂ）】
2014142375.tif 000011
【図７（ａ）】
2014142375.tif 000012
【図７（ｂ）】
2014142375.tif 000013
【図８】
2014142375.tif 000014
【図９（ａ）】
2014142375.tif 000015
【図９（ｂ）】
2014142375.tif 000016
【図１０（ａ）】
2014142375.tif 000017
【図１０（ｂ）】
2014142375.tif 000018
【図１１（ａ）】
2014142375.tif 000019
【図１１（ｂ）】
2014142375.tif 000020
【図１２（ａ）】
2014142375.tif 000021
【図１２（ｂ）】
2014142375.tif 000022
【図１３（ａ）】
2014142375.tif 000023
【図１３（ｂ）】
2014142375.tif 000024
【図１４】
2014142375.tif 000025
【図１５】
2014142375.tif 000026